(57)【特許請求の範囲】
【請求項１】
直管型蛍光灯照明器具に着脱可能に装着して用いる照明装置であり、長手方向両端に前記直管型蛍光灯照明器具への装着用突起を備えるとともに、下面に、前記装着用突起と導通するレール電極を内蔵する長穴コンセントを備えたレールベースと、               前記長穴コンセントに、着脱可能に装着するためのプラグと、電球用ソケットを屈曲自在なコード保持部材でつないだ灯具とから成ることを特徴とする直管型蛍光灯照明器具用照明装置。
【請求項２】
円管型蛍光灯照明器具に着脱可能に装着して用いる照明装置であり、前記円管型蛍光灯照明器具のソケットに嵌合するように電極ピンが配設されたソケット受電部を備えるとともに、下面に、前記ソケット受電部の電極ピンと導通するレール電極を内蔵する長穴コンセントを備えた円形型レールベースと、                                           前記長穴コンセントに、着脱可能に装着するためのプラグと、電球用ソケットを屈曲自在なコード保持部材でつないだ灯具とから成ることを特徴とする円管型蛍光灯照明器具用照明装置。
【請求項３】
前記円形型レールベースを前記円管型蛍光灯照明器具に装着する際に、前記円管型蛍光灯照明器具の円管型蛍光管支持金具を、前記円形型レールベースの前記長穴コンセントに嵌め込み取付けた支持補助具と、固定具材とで挟み込み押さえるように構成したことを特徴とする請求項２記載の円管型蛍光灯照明器具用照明装置。
【発明の詳細な説明】
【技術分野】
【０００１】
本願発明は、蛍光灯照明器具のソケットに装着し電球型ＬＥＤランプを使えることとした照明装置に関するものである。
【背景技術】
【０００２】
従来から、特開２００７−１２２９３３号公報（特許文献１）に示されるように、ＬＥＤを用いた蛍光灯型ＬＥＤランプは知られている。この蛍光灯型ＬＥＤランプは蛍光灯照明器具のソケットの差込孔に嵌め入れる装着用突起を長方形状の支持基体の長手方向両端にそれぞれ設け、支持基体の長手方向両端の間で同支持基体に複数のＬＥＤを配置した照明基板を取付けている。
【先行技術文献】
【特許文献】
【０００３】
【特許文献１】特開２００７−１２２９３３号公報
【発明の概要】
【発明が解決しようとする課題】
【０００４】
しかしながら、特許文献１に示される上記従来例の蛍光灯型ＬＥＤランプは、一定の範囲にしか照明を照射することができず、使用者の希望に応じた場所や方向に配光をすることができない問題があった。
【０００５】
本願発明は上記の点から鑑みて発明されたものであり、その課題は、蛍光灯照明器具の取付け状態を変えずに使用者の希望に応じた配光が可能で、用途や状況に合わせて光色の異なる電球型ＬＥＤランプを自由に選択し使用することができる蛍光灯照明器具用照明装置を提供することである。
【課題を解決するための手段】
【０００６】
本願発明は請求項１に記載した蛍光灯照明器具に着脱可能に装着して用いる照明装置であって、レールベースの両端に前記蛍光灯照明器具への装着用突起を備えると共に、前記レールベースの下面には前記装着用突起と導通するレール電極を内蔵した長穴コンセントを備え更に、前記長穴コンセントに着脱可能に装着する脱落防止ツメを備えた脱落防止ツメ付プラグと電球用ソケットを屈曲自在なコード保持部材でつないだ灯具からなる。
【０００７】
又、脱落防止ツメを備えたＡＣ１００Ｖコンセントに嵌合するプラグと屈曲自在な例えば蛇腹管やフレキシブル管などのコード保持部材を通じて導線で電気的に接続された電球用のソケットを有する灯具を前記レールベースの長穴コンセントに装着し成ることを特徴としている。
【０００８】
本願請求項１記載の発明は、前記灯具に市販の電球型ＬＥＤランプを装着し、フレキシブル管などのコード保持部材により自在に屈曲回動して照らしたい場所に向けて照明を照射できることを特徴としている。
【発明の効果】
【０００９】
本願請求項１記載の発明の蛍光灯照明器具用照明装置は蛍光灯照明器具の取付け状態を変えずに蛍光灯照明器具のソケットに装着したレールベースと前記レールベースの長穴コンセントに装着した灯具に市販の電球型ＬＥＤランプを取付け、灯具のフレキシブル管などのコード保持部材によって自在に屈曲回動して照らしたい場所に向けて任意の角度で照射することができる。よって、使用者の希望に添う配光が可能になる。
【００１０】
本願請求項１記載の発明の蛍光灯照明器具用照明装置は特に複数個の灯具をレールベースの長穴コンセントに装着することが可能でフレキシブル管などのコード保持部材によって自在に角度を変えるだけで複数ヶ所の異なった位置を同時にスポット照射することが可能になる。
【００１１】
又、光色の異なる電球型ＬＥＤランプを選択することによって被照物（商品など）の見た目の色やイメージが変えられるなど、いろいろな照明レイアウトの可能性を提供することができる。
【図面の簡単な説明】
【００１２】
【図１】本願発明の第一の実施形態である直管型蛍光灯照明器具用照明装置を示す斜視図。
【図２】同直管型蛍光灯照明器具用照明装置を示す正面図。
【図３】同直管型蛍光灯照明器具用照明装置を示す底面図。
【図４】図２のＡ―Ａ線断面図。
【図５】灯具の縦断面図。
【図６】同直管型蛍光灯照明器具用照明装置の脱落防止固定具を示す斜視図。
【図７】本願発明の第二の実施形態である円管型蛍光灯照明器具用照明装置を示す正面図。
【図８】同円管型蛍光灯照明器具用照明装置を示す斜視図。
【図９】同円管型蛍光灯照明器具用照明装置を示す底面図。
【図１０】図９のＢ―Ｂ線断面図。
【図１１】支持補助具及び固定具材を示す斜視図。
【発明を実施するための形態】
【００１３】
以下、本願発明の蛍光灯照明器具用照明装置を添付図面に示す実施形態に基づいて説明する。
【００１４】
図１〜６は、第一の実施形態である直管型蛍光灯照明器具用照明装置を示している。
【００１５】
この直管型蛍光灯照明器具用照明装置１は図１に示すように、直管型蛍光灯照明器具３のソケット４に装着する従来の直管型蛍光管の規格と同じ長さと幅を有し、図４に示すように長手方向と直角になる断面が半月状になるよう長手方向に一部を欠いた形状であるレールベース２と前記レールベース２の下面にレール電極１６を内蔵する長穴コンセント１７と脱落防止固定具５と図５に示す着脱可能な灯具２０で構成される。
【００１６】
前記レールベース２と前記長穴コンセント１７は非導電性材料で一体型に形成してもよい。
【００１７】
図２に示すように、前記レールベース２は長手方向両端にそれぞれ２つずつの装着用突起１１を備えている。前記装着用突起１１で直管型蛍光灯照明器具３のソケット４に嵌め入れて装着し図６に示す脱落防止固定具５で図１のようにレールベース２とソケット４を固定する。
【００１８】
脱落防止固定具５の引掛具２６が図２に示すようにレールベース２の両端部に、その両端部の円周に沿ってそれぞれ設けられた溝状の脱落防止固定具引掛溝１２に引掛けられるようになっている。
【００１９】
図３に示すように、レールベース２の長手方向両端に設けられた装着用突起１１とレールベース２の下面に設けられた長穴コンセント１７のレール電極１６は導線１５によって電気的に接続されている。長穴コンセント１７のレール電極１６は図４に示すようにレール状の長手方向と直角になる方向に外側が山になるように湾曲している。
【００２０】
前記長穴コンセント１７にＡＣ１００Ｖコンセントに嵌合するプラグに脱落防止ツメ６を付けた脱落防止ツメ付プラグ７とフレキシブル管などの屈曲自在なコード保持部材８を通じて前記脱落防止ツメ付プラグ７の差込電極２２と導線２１で電気的に接続された電球用ソケット９を有して成る着脱可能な灯具２０をレールベース２の長穴コンセント１７の任意の位置で装着する。
【００２１】
前記灯具２０に電球型ＬＥＤランプ１０を取付けて使用できるようにする。
【００２２】
以下、直管型蛍光灯照明器具用照明装置１をより具体的詳細に説明する。図１〜６に示すように直管型蛍光灯照明器具用照明装置１は、レールベース２と装着用突起１１と長穴コンセント１７と脱落防止固定具５と灯具２０によって構成される。
【００２３】
レールベース２は従来の直管型蛍光管の規格と同じ長さと幅を有し、図４に示すように長手方向と直角になる断面が半月状になるよう長手方向に一部を欠いた形状でありプラスチック等の非導電性材料から成る。
【００２４】
又、前記レールベース２は図２に示すように長手方向両端にそれぞれ２つずつの装着用突起１１と図３に示すように長手方向に長穴状の形状で長手方向に沿って平行した二本が一対のレール電極１６を有する長穴コンセント１７を備え直管型蛍光灯照明器具３のソケット４に装着するための基体となる。
【００２５】
装着用突起１１は導電性の良い金属等からなる。図１が示すように装着用突起１１は直管型蛍光灯照明器具３のソケット４の差込孔に嵌め入れ装着するために設けられている。装着用突起１１はソケット４の差込孔に嵌め入れられることで蛍光灯照明器具３を通じて電気を得ることができる。装着用突起１１はレールベース２の長手方向両端にそれぞれ２つずつ設けられている。
【００２６】
図３に示すように長穴コンセント１７のレール電極１６は長手方向に沿って二本が平行に一対設けられている。レール電極１６は導電性の良い弾性のある金属等でできている。レール電極１６の１つはレールベース２の長手方向両端にそれぞれ設けられた装着用突起１１の内一方の端の２つの装着用突起１１と導線１５で電気的に接続されている。レール電極１６の他の１つはレールベース２の長手方向両端にそれぞれ設けられた装着用突起１１の内他方の端の２つの装着用突起１１と導線１５で電気的に接続されている。
【００２７】
レール電極１６は図４に示すように、長手方向と直角になる方向に外側が山になるように湾曲している。このため、灯具２０の脱落防止ツメ付プラグ７の差込電極２２を押さえつけて保持することができる。又、レールベース２の長穴コンセント外側部１７−１の凸部に脱落防止ツメ６が引掛けられることで脱落防止の対策をとっている。
【００２８】
図５に示すように脱落防止ツメ付プラグ７はＡＣ１００Ｖコンセントに嵌合するプラグに長穴コンセント１７に装着した際に脱落を防止するための脱落防止ツメ６を付けた形状であり長穴コンセント１７の長手方向のどの位置でも着脱が可能である。
【００２９】
図５に示すように灯具２０は、脱落防止ツメ付プラグ７とフレキシブル管などのコード保持部材８と、脱落防止ツメ付プラグ７の差込電極２２とコード保持部材８を通る導線２１によって電気的に接続された電球用ソケット９から成る。
【００３０】
コード保持部材８は屈曲自在に回動する金属等でできている。コード保持部材８は自在に屈曲回動することで照明の照射角度を変えることができる。このため、複数の灯具２０をレールベース２の長穴コンセント１７に装着することで複数ヶ所の異なった位置を同時にスポット照射することができるなど使用者の希望に応じた場所や方向へ配光することができるようになる。
【００３１】
図７〜１１は第二の実施形態である円管型蛍光灯照明器具用照明装置を示している。尚ここでは、上記第一の実施形態と相違する事項についてのみ説明する。構成や作用効果等のその他の事項については上記第一の実施形態と同様である。
【００３２】
図８に示すように円管型蛍光灯照明器具用照明装置３５はドーナツ状の円形であり従来の円管型蛍光管の規格と同じ円周と幅を有し、前記円形の円周と直角になる断面が半月状になるように、円周に沿って下面の一部を欠いた形状をしている。
【００３３】
円形レールベース３６は、直管型蛍光灯照明器具用照明装置１のレールベース２を前記円形にし、その両端部は円管型蛍光灯照明器具３０のソケット３１に嵌合するように電極ピン３８が配設されたソケット受電部３７で接続され、下面には円周に沿って平行な二本が一対のレール電極４１を内蔵する円周に沿って長穴状の長穴コンセント４２を備えている。
【００３４】
円管型蛍光灯照明器具用照明装置３５は、前記長穴コンセント４２を備えた円形レールベース３６と支持補助具４５及び固定具材４６と図５に示す着脱可能な灯具２０で構成される。
【００３５】
前記円形レールベース３６はプラスチック等の非導電性材料でできている。前記円形レールベース３６と前記長穴コンセント４２は一体型に形成しても良い。前記円形レールベース３６は円管型蛍光灯照明器具３０に装着するための基体となる。
【００３６】
円管型蛍光灯照明器具３０のソケット３１に嵌合するようソケット受電部３７に配設された電極ピン３８は導電性の良い金属等からなり導線３９で前記レール電極４１と電気的に接続されている。又、前記電極ピン３８はソケット３１を嵌め込むことで円管型蛍光灯照明器具３０を通じて電気を得ることができる。
【００３７】
図７に示すように、円管型蛍光灯照明器具用照明装置３５を円管型蛍光灯照明器具３０に装着する際は、支持補助具４５を円管型蛍光灯照明器具用照明装置３５の円形レールベース３６の長穴コンセント４２に嵌め込み取付けて、円管型蛍光灯照明器具３０の円管型蛍光管支持金具３２を支持補助具４５と固定具材４６で挟み押さえて図１１に示すように固定具材４６を支持補助具４５の固定具材ずれ防止溝４５−１に嵌め込むことで固定し装着する。
【００３８】
支持補助具４５はプラスチック等の非導電性材料からなる。支持補助具４５は、長穴コンセント４２に装着したとき脱落防止ツメ４５−２が長穴コンセント外側部４２−１の凸部に引掛けられることで脱落防止の対策をとっている。
【００３９】
円管型蛍光灯照明器具３０に装着した円管型蛍光灯照明器具用照明装置３５の長穴コンセント４２に灯具２０を装着し灯具２０に電球型ＬＥＤランプ１０を取付けて使用できるように成す。
【符号の説明】
【００４０】
１  直管型蛍光灯照明器具用照明装置
２  レールベース
３  直管型蛍光灯照明器具
４  ソケット
５  脱落防止固定具
６  脱落防止ツメ
７  脱落防止ツメ付プラグ
８  コード保持部材
９  電球用ソケット
１０  電球型ＬＥＤランプ
１１  装着用突起
１２  脱落防止固定具引掛溝
１５  導線
１６  レール電極
１７  長穴コンセント
１７−１  長穴コンセント外側部
２０  灯具
２１  導線
２２  差込電極
２５  弾性帯
２６  引掛具
３０  円管型蛍光灯照明器具
３１  ソケット
３２  円管型蛍光管支持金具
３５  円管型蛍光灯照明器具用照明装置
３６  円形レールベース
３７  ソケット受電部
３８  電極ピン
４１  レール電極
４２  長穴コンセント
４２−１  長穴コンセント外側部
４５  支持補助具
４５−１  固定具材ずれ防止溝
４５−２  脱落防止ツメ
４５−３  疑似差込電極
４６  固定具材
【要約】      （修正有）【課題】蛍光灯照明器具の取付け状態を変えずに使用者の希望に応じた配光が可能で用途や状況に合わせて使用できるようになる蛍光灯照明器具用照明装置を提供する。【解決手段】蛍光灯照明器具３のソケット４の差込孔に嵌合する装着用突起をレールベース２の長手方向両端にそれぞれ設け、前記装着用突起と電気的に接続されているレール状の電極を有する長穴コンセントに装着された灯具に市販の電球型ＬＥＤランプ１０を取付けた蛍光灯照明器具用照明装置１を蛍光灯照明器具３のソケット４に装着して使用できるように成す。【選択図】図１【図１】
0004835890.tif 000002
【図２】
0004835890.tif 000003
【図３】
0004835890.tif 000004
【図４】
0004835890.tif 000005
【図５】
0004835890.tif 000006
【図６】
0004835890.tif 000007
【図７】
0004835890.tif 000008
【図８】
0004835890.tif 000009
【図９】
0004835890.tif 000010
【図１０】
0004835890.tif 000011
【図１１】
0004835890.tif 000012